【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】  自局と他局の番組情報を統合して送出する番組情報作成装置において、
番組編成情報に基づいて、全てのＴＳに共通して送出される自局の番組情報である自局分共通番組情報を作成する自局分共通番組情報作成部と、前記自局分共通番組情報を番組情報集配信装置に送信する自局情報送信部と、全てのＴＳに共通して送出される自局以外の番組情報である他局分共通番組情報を受信する共通番組情報受信部と、前記番組情報を送出する番組情報送出部とを具備し、
前記番組情報送出部は、前記自局分共通番組情報作成部からの前記自局分共通番組情報と、前記共通番組情報受信部からの前記他局分共通番組情報とを統合し、前記番組情報としてＴＳ多重化装置へ送出することを特徴とする番組情報作成装置。
【請求項２】  前記他局分共通番組情報を指定された期間分予め蓄積する共通番組情報蓄積部を具備し、前記共通番組情報受信部が前記番組情報集配信装置から前記他局分共通番組情報を受信できなかった場合に、前記番組情報送出部は予め蓄積している前記他局分共通番組情報と前記自局分共通番組情報作成部とを統合し、前記番組情報として前記ＴＳ多重化装置へ送出することを特徴とする請求項１記載の番組情報作成装置。
【請求項３】  番組の放映時間の変更を前記番組情報集配信装置に迅速に送信する場合に、前記自局分共通番組情報作成部は前記番組編成情報に基づいて番組の放映時間に関して記述されている情報のみを作成し、前記自局情報送信部は前記番組の放映時間に関して記述されている情報のみを前記番組情報集配信装置に送信することを特徴とする請求項１記載の番組情報作成装置。
【請求項４】  前記自局分共通番組情報を更新し前記番組情報集配信装置に送信する際に、受信装置で録画予約の制御に用いられる情報を先に送出し、その他の情報を後から送出する自局情報段階的送信部を具備することを特徴とする請求項１記載の番組情報作成装置。
【請求項５】  前記自局情報段階的送信部は、前記自局情報段階的送信部が、受信装置で録画予約の制御に用いられる情報のうち、現在放映されている番組に関して記述されている情報のみを先に前記番組情報集配信装置に送出し、その他の情報を後から送出することを特徴とする請求項４記載の番組情報作成装置。
【請求項６】  番組情報集配信装置が各放送局の番組情報作成装置に他局分共通番組情報を配信する番組情報集配信システムにおいて、
各放送局の前記番組情報作成装置が番組編成情報に基づいて予め指定された期間分の自局分共通番組情報を作成して前記番組情報集配信装置に送信し、前記番組情報集配信装置の共通番組情報蓄積部が各放送局の前記番組情報作成装置から受信した予め指定された期間分の前記自局分共通番組情報を蓄積し、前記番組情報集配信装置が他の放送局の前記番組情報作成装置に対して、前記自局分共通番組情報を前記他局分共通番組情報として送信することを特徴とする番組情報集配信システム。
【請求項７】  前記自局分共通番組情報を各放送局の前記番組情報作成装置に直接送信する各放送局間自局情報送信部と、各放送局の前記番組情報作成装置から直接他局分共通番組情報を受信する各放送局間共通番組情報受信部とを具備することを特徴とする請求項１記載の番組情報作成装置。
【手続補正２】
【補正対象書類名】明細書
【補正対象項目名】００２２
【補正方法】変更
【補正の内容】
【００２２】
【発明の実施の形態】
本発明の請求項１に記載の発明は、自局と他局の番組情報を統合して送出する番組情報作成装置において、番組編成情報に基づいて、全てのＴＳに共通して送出される自局の番組情報である自局分共通番組情報を作成する自局分共通番組情報作成部と、前記自局分共通番組情報を番組情報集配信装置に送信する自局情報送信部と、全てのＴＳに共通して送出される自局以外の番組情報である他局分共通番組情報を受信する共通番組情報受信部と、前記番組情報を送出する番組情報送出部とを具備し、前記番組情報送出部は、前記自局分共通番組情報作成部からの前記自局分共通番組情報と、前記共通番組情報受信部からの前記他局分共通番組情報とを統合し、前記番組情報としてＴＳ多重化装置へ送出することを特徴とする番組情報作成装置であり、自局分共通番組情報と他局分共通番組情報とを統合して全局分の番組情報を送出することができ、番組情報集配信装置等において障害が発生した場合でも、自局分共通番組情報を送出することができる。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】変更
【補正の内容】
【００２５】
請求項２に記載の発明は、前記他局分共通番組情報を指定された期間分予め蓄積する共通番組情報蓄積部を具備し、前記共通番組情報受信部が前記番組情報集配信装置から前記他局分共通番組情報を受信できなかった場合に、前記番組情報送出部は予め蓄積している前記他局分共通番組情報と前記自局分共通番組情報作成部とを統合し、前記番組情報として前記ＴＳ多重化装置へ送出することを特徴とする請求項１記載の番組情報作成装置であり、他の放送局や番組情報集配信装置に障害が発生した場合でも、他局分共通番組情報を指定された期間、送出することが可能になる。
【手続補正６】
【補正対象書類名】明細書
【補正対象項目名】００２６
【補正方法】変更
【補正の内容】
【００２６】
請求項３に記載の発明は、番組の放映時間の変更を前記番組情報集配信装置に迅速に送信する場合に、前記自局分共通番組情報作成部は前記番組編成情報に基づいて番組の放映時間に関して記述されている情報のみを作成し、前記自局情報送信部は前記番組の放映時間に関して記述されている情報のみを前記番組情報集配信装置に送信することを特徴とする請求項１記載の番組情報作成装置であり、番組情報を緊急に変更する場合に、番組の放映時間の変更を迅速に受信装置に伝えることが可能になる。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】変更
【補正の内容】
【００３０】
請求項４に記載の発明は、前記自局分共通番組情報を更新し前記番組情報集配信装置に送信する際に、受信装置で録画予約の制御に用いられる情報を先に送出し、その他の情報を後から送出する自局情報段階的送信部を具備することを特徴とする請求項１記載の番組情報作成装置であり、緊急な番組情報の変更に対して、受信装置における録画予約機能を支障なく動作させることができる。
【手続補正１１】
【補正対象書類名】明細書
【補正対象項目名】００３１
【補正方法】変更
【補正の内容】
【００３１】
請求項５に記載の発明は、前記自局情報段階的送信部は、前記自局情報段階的送信部が、受信装置で録画予約の制御に用いられる情報のうち、現在放映されている番組に関して記述されている情報のみを先に前記番組情報集配信装置に送出し、その他の情報を後から送出することを特徴とする請求項４記載の番組情報作成装置であり、現在放送している番組情報のみを先に送出することによって、受信装置に対して緊急性の高い番組情報を更に迅速に伝えることが可能になる。
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】変更
【補正の内容】
【００３４】
請求項６に記載の発明は、番組情報集配信装置が各放送局の番組情報作成装置に他局分共通番組情報を配信する番組情報集配信システムにおいて、各放送局の前記番組情報作成装置が番組編成情報に基づいて予め指定された期間分の自局分共通番組情報を作成して前記番組情報集配信装置に送信し、前記番組情報集配信装置の共通番組情報蓄積部が各放送局の前記番組情報作成装置から受信した予め指定された期間分の前記自局分共通番組情報を蓄積し、前記番組情報集配信装置が他の放送局の前記番組情報作成装置に対して、前記自局分共通番組情報を前記他局分共通番組情報として送信することを特徴とする番組情報集配信システムであり、各放送局では、自ら作成した自局分共通番組情報と番組情報集配信装置から受信した他局分共通番組情報とを統合して全局分の共通番組情報を送出することができる。また、他の放送局に障害が発生した場合でも、指定された期間は他局分の共通番組情報を継続して送出することができる。
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】変更
【補正の内容】
【００３８】
請求項７に記載の発明は、前記自局分共通番組情報を各放送局の前記番組情報作成装置に直接送信する各放送局間自局情報送信部と、各放送局の前記番組情報作成装置から直接他局分共通番組情報を受信する各放送局間共通番組情報受信部とを具備することを特徴とする請求項１記載の番組情報作成装置であり、番組情報集配信装置を無くし、その運用コストを削減することができる。